(57)【要約】      （修正有）【課題】容易に最初の一歩を踏み出すことができる、安全なすくみ足用歩行介助のための杖を提供する。【解決手段】アイスホッケースティックと同様の構造を有する杖１であって、棒状のシャフト部分２と、地面に接地してハードルバーとして作用する、ヘラ状のブレード部分３が９０°より大きく開いた角度で一体型になっている。【選択図】図１
2015159965.tif 000002
【特許請求の範囲】
【請求項１】
アイスホッケースティックと同様の構造を有する杖であって、棒状のシャフト部分と、地面に接地するヘラ状のブレード部分が９０°より大きく開いた角度で一体型になっていることを特徴とする すくみ足用歩行介助のための杖。
【請求項２】
９０°より大きく開いた角度が１００°〜１３５°の範囲である、請求項１に記載のすくみ足用歩行介助のための杖。
【請求項３】
ブレードの曲がり具合が、ブレードの根元と先端を結ぶ直線と、ブレード中央の距離が１０ｍｍ以上離れており、ブレード先端の面が垂直に対しやや開いて、垂直より後方にねじれている、請求項１または２に記載のすくみ足用歩行介助のための杖。
【請求項４】
スティックはブレード湾曲の向きによって右利き用と左利き用がある請求項１ないし３のいずれかに記載のすくみ足用歩行介助のための杖。
【請求項５】
ブレード先端から地面に設置する底面が滑り止め材が貼付されている請求項１ないし４のいずれかに記載のすくみ足用歩行介助のための杖。
【発明の詳細な説明】
【技術分野】
【０００１】
本発明はすくみ足用歩行介助のための杖に関する。
【背景技術】
【０００２】
歩行障害には種々の原因があるが、例えばパーキンソン病患者は、最初の一歩を容易に踏み出すことができない、いわゆるすくみ足により歩行が困難となっている。このようなすくみ歩については、床に目印となる線などを引き、それを目標にして歩かせたり、障害物をまたがせたりすると、普通に大股で歩くことが可能であることが報告されている。しかしながら、廊下などの通路に目印となる線を引くことは現実的ではない。最初の一歩を踏み出す際の目印として地面に向けて線状光を照射し、これを目標として転倒することなく第一歩を踏み出すようにして、すくみ足（歩行開始時に第一歩を踏み出せない症状）を改善することも提案されている（特許文献１）。しかしながら、線状光を照射する杖を用いる場合は、杖を把持する必要があるが、パーキンソン病患者が同時に二つの動作（杖の把持と杖上部のスイッチの操作）をする能力が低下することを考慮すれば、必ずしも使い勝手のよいものではない。
【先行技術文献】
【特許文献】
【０００３】
【特許文献１】特開２００５−３４５６８号公報
【発明の開示】
【発明が解決しようとする課題】
【０００４】
特許文献１の歩行前方面に地面に向けて照射される線状光は、何ら物理的障害とはならず、つまずき等による転倒負傷の恐れはないが、パーキンソン病患者によって地面上の線状光を認識できないことが多く、最初の一歩が出やすいということはない。しかも、杖が垂直であるため身体が接触して歩行の妨げとなったりするおそれもある。そこで、最初の一歩を踏み出す目標となるハードルバーはパーキンソン病患者によって認識し易いものでなければならず、踏み越えて易く、それ自体につまずくことがないものでなければならず、かつ、杖が身体と接触して歩行の妨げとなったりしてはならない。本発明は、ハードルバーをより安全にかつ容易に歩行者の前方に繰り出すことができ、それを目標に容易に最初の一歩を踏み出すことができる、安全なすくみ足用歩行介助のための杖を提供することを目的とする。
【課題を解決するための手段】
【０００５】
本発明は、下記（１）ないし（５）のすくみ足用歩行介助のための杖を要旨とする。
（１）アイスホッケースティックと同様の構造を有する杖であって、棒状のシャフト部分と、地面に接地するヘラ状のブレード部分が９０°より大きく開いた角度で一体型になっていることを特徴とする すくみ足用歩行介助のための杖。
（２）９０°より大きく開いた角度が１００°〜１３５°の範囲である、上記（１）に記載のすくみ足用歩行介助のための杖。
（３）ブレードの曲がり具合が、ブレードの根元と先端を結ぶ直線と、ブレード中央の距離が１０ｍｍ以上離れており、ブレード先端の面が垂直に対しやや開いて、垂直より後方にねじれている、上記（１）または（２）に記載のすくみ足用歩行介助のための杖。
（４）スティックはブレード湾曲の向きによって右利き用と左利き用がある上記（１）ないし（３）のいずれかに記載のすくみ足用歩行介助のための杖。
（５）ブレード先端から地面に設置する底面が滑り止め材が貼付されている上記（１）ないし（４）のいずれかに記載のすくみ足用歩行介助のための杖。
【発明の効果】
【０００６】
本発明のすくみ足用歩行介助のための杖により、歩行障害者，特に例えばパーキンソン病患者が、室内や外出時に常に把持して、容易に最初の一歩を踏み出すことができるので、生活の質を落とさないで生活することができる。
【図面の簡単な説明】
【０００７】
【図１】本発明のすくみ足用歩行介助のための杖の正面説明図。
【図２】左足歩行の場合、（Ａ）左手で棒状のシャフトのグリップ部分を握り、ブレードを左足の前に置き、ブレードを踏み越えようとしている写真、（Ｂ）左足がブレード（ヘラの部分）を踏み越えて着地した写真、（Ｃ）左足に重心を移し右足を前に押し出した写真。
【図３】右足歩行の場合、右手で棒状のシャフトのグリップ部分を握り、ブレードを右足の前に置いた図面。
【図４】右足を挙げ、ブレードを踏み越えようとしている図面。
【図５】右足がブレードを踏み越えて着地した図面。
【図６】左足を前に押し出した図面。
【発明を実施するための最良の形態】
【０００８】
本発明のすくみ足用歩行介助のための杖は、アイスホッケースティックと同様の構造を有する杖である。アイスホッケースティックは、ブレード湾曲の向きによって右利き用と左利き用がある。真ん中用もある。基本的には、利き手（強いほうの手）をグリップ側にする。アイスホッケースティックには、例えばＣＵＲＶＥ：２／１″（１２ｍｍ） Ｃｅｎｔｒｅ、ＦＡＣＥ：Ｓｌｉｇｈｔｌｙ Ｏｐｅｎ、ＬＩＥ：６といった表示が使われるが、Ｃｕｒｖｅは曲がり具合を表し、２／１″（１２ｍｍ） Ｃｅｎｔｒｅは、ブレードの根元と先端を結ぶ直線と、ブレード中央の距離が１２ｍｍ離れていることを意味している。Ｆａｃｅはブレード表面の角度を表し、ブレード先端の面が垂直に対しやや開いている＝垂直より後方にねじれていることを意味している。Ｌｉｅは、 シャフト部分と氷につく部分の角度を表している。これはシャフトとブレードの角度であり、５が１３５°、1増えるごとに２°減っていくので、６は１３３°になることを意味している。
【０００９】
本発明のすくみ足用歩行介助のための杖は、アイスホッケースティックの構造を基本にして、例えばパーキンソン病患者の症状にあわせて使いやすいように、ブレード部分の高さが高すぎないか、長さはどうか、最初の一歩を踏み出す目標となるハードルバーとして適切かどうか、重さは重すぎないかどうか、など形状に変形を加えて、軽くて丈夫な材料で作り上げる。
杖は、ライトハンドかレフトハンドを決める必要がある。基本的には、利き手（強いほうの手）をグリップ側にする。右利きの人は、レフトハンドになる。棒状のシャフト部分は出来るだけ軽いものを選んだほうが良い。ブレードは長さ、曲がり、厚み等で選ぶ。短めで、曲がりが少なく、薄いタイプのほうが使いやすい。杖の長さは、目の高さから肩の高さの間でカットする。試行錯誤を繰り返して自分の長さを見つけ出すとよい。グリップのテープの巻き方は、グリップエンドのカットした部分が完全に隠れるようにテーピングする。握りやすく、外れにくいというのが基本である。グリップエンドから２０ｃｍ位まで、凹凸をつけて専用テープで巻くことが好ましい。
【００１０】
図２〜８に示すように、棒状のシャフト部分と、地面に接地するヘラ状のブレード部分が９０°より大きく開いた角度で一体型になっているため、棒状のシャフト部分が常に身体から離れており、接触して歩行の妨げとなったりするおそれがない。９０°より大きく開いた角度は任意であり、好ましくは１００°〜１３５°の範囲である。
【００１１】
ブレードの曲がり具合が、ブレードの根元と先端を結ぶ直線と、ブレード中央の距離が１０ｍｍ以上離れており、ブレード先端の面が垂直に対しやや開いて、垂直より後方にねじれている。これはアイスホッケースティックと同様の構造であり、すくみ足でも最初の一歩でまたぎやすい構造である。
【００１２】
ブレード先端から地面に設置する底面は滑り止め材が貼付されている。底面に凹溝を付けて、底面と同じ幅の任意のゴム材、好ましくは接地面は凹凸の滑り止め、貼付面は前記凹面にはめ込む突起を設けたゴム材を貼付する。
【００１３】
歩行障害者，特に例えばパーキンソン病患者の体格、症状などに合わせて、棒状のシャフト部分の長さ、およびブレード（ヘラの部分）の大きさを容易に調節できるので、室内や外出時に常に把持して、容易に最初の一歩を踏み出すことができる。棒状のシャフト部分、およびブレード（ヘラの部分）の材質は、杖を製造できるいかなる材料でも製造可能であるが、加工のしやすさ、軽くて丈夫 であることから、木質材料であることが好ましい。また、室内や外出時に常に把持することから親しみやすい、愉快な模様付けをすることが好ましい。
【実施例】
【００１４】
以下一実施例を示す図面と共に本発明をさらに詳細に説明する。
【００１５】
図１は、本発明のすくみ足用歩行介助のための杖（１）の正面説明図であり、アイスホッケースティックと同様の構造を有する杖であって、棒状のシャフト部分（２）と、地面に接地するヘラ状のブレード部分（３）が９０°より大きく開いた角度で一体型になっている。棒状のシャフト部分（２）の表面は、グリップ（２−１）部分を除いて、例えばパンダの図柄のシート（図示せず）で覆われており、その任意の箇所に１以上の蛍光色のテープ（２−２）が巻かれている。ブレード（３）の先端から地面に設置する底面は滑り止め材（３−１）が貼付されている。
【００１６】
次に、本発明のすくみ足用歩行介助のための杖（１）の使用例を説明する。
図２には、左足歩行の場合、（Ａ）左手で棒状のシャフトのグリップ部分を握り、ブレード（ヘラの部分）を最初の一歩を踏み出す目標となるハードルバーとして左足の前に置き、右足に重心を掛けて左足を挙げ、ブレード（ヘラの部分）を踏み越えようとしている写真、続いて（Ｂ）ブレード（ヘラの部分）を踏み越えた左足が着地した写真、続いて（ｃ）その左足に重心を移し右足を前に押し出した写真である。写真（Ａ）から（Ｃ）の間、杖の位置は移動していない。写真の杖は木製で、長さが１１３ｃｍ、ブレード先端から地面に設置する底面が滑り止め材の長さは１８ｃｍである。杖の棒状の部分にはパンダを描いたシートを巻いている。
【００１７】
図３には、右足歩行の場合、右手で棒状のシャフトのグリップ部分を握り、ブレード（ヘラの部分）を最初の一歩を踏み出す目標となるハードルバーとして右足の前に置いた図面を示す。続いて、図４に、左足に重心を掛けて右足を挙げ、ブレード（ヘラの部分）を踏み越えようとしている図面を示す。続いて、図５に右足がブレード（ヘラの部分）を踏み越え着地した図面を示す。さらに続いて、図６に右足に重心を移し左足を前に押し出した図面を示す。図３から図６の間杖の位置は移動していない。
歩行障害者，特に例えばパーキンソン病患者は、棒状のシャフト部分と一体型になっているブレード（ヘラの部分）を目標にすることにより、容易に最初の一歩を踏み出すことができるので、すくみ足が解消され、しかも安全に歩行することが可能となる。
【産業上の利用可能性】
【００１８】
歩行障害者，特に例えばパーキンソン病患者のための歩行介助杖を提供することが期待される。室内や外出時に常に把持可能な、容易に最初の一歩を踏み出すことを介助することで、歩行障害者，特に例えばパーキンソン病患者が生活の質を落とさないで生活することが期待される。
【符号の説明】
【００１９】
１  すくみ足用歩行介助のための杖
２  棒状のシャフト部分
２−１  グリップ  
２−２  蛍光色のテープ
３  ヘラ状のブレード部分
３−１  滑り止め材
【図１】
2015159965.tif 000003
【図２】
2015159965.tif 000004
【図３】
2015159965.tif 000005
【図４】
2015159965.tif 000006
【図５】
2015159965.tif 000007
【図６】
2015159965.tif 000008